(57)【特許請求の範囲】
【請求項１】
容器体内へ垂下させたシリンダ内から上方付勢状態で起立するステム（２２）へ装着させたノズルヘッド（３０）の押下げで容器体内容物をノズル孔（３４ａ）から吐出可能に設けたポンプ付き容器において、
前記ノズルヘッド（３０）の頂壁（３１）内部に前記ノズル孔（３４ａ）へ連通する吐出室（３５）を形成して、該吐出室（３５）下面に前記ステム（２２）へ連通する吐出口（３６）を開口させるとともに、吐出弁兼用の弾性を有する薄板（３７）を、その一部を吐出口（３６）からノズル孔（３４ａ）へ達する前後方向に長い吐出路形成部（３８）として残して前記吐出室（３５）下面へ添着させ、
前記吐出室（３５）下面を、吐出口(３６)形成箇所からノズル孔(３４ａ)へ亘って、前方からみて下方へ凸に弯曲させるとともに、前記薄板（３７）をプラスチックフィルムで形成し、
前記ノズルヘッド（３０）の押下げで前記吐出口（３６）を介して前記吐出室（３５）内へ流入する容器体内容物が前記薄板（３７）の吐出路形成部（３８）を上方へ凸の弯曲状に反転させて前記ノズル孔（３４ａ）から吐出可能に、かつポンプ内の負圧化による吸引力及び薄板の弾性力で前記薄板(３７)が元の下へ凸の弯曲状に復帰して前記吐出室（３５）下面へ密着可能に設けた
ことを特徴とするポンプ付き容器。
【請求項２】
前記ノズルヘッド頂壁（３１）を上下に二分割して、ノズルヘッド本体（３９）と該ノズルヘッド本体上面を覆うヘッドカバー部（４０）とに形成して、前記ノズルヘッド本体（３９）上面の左右両側から下側係合壁（４１）を起立させるとともに、前記ヘッドカバー部頂板（４２）の左右両側から上側係合壁（４３）を垂下させ、該上側係合壁（４３）を前記下側係合壁（４１）外面へ着脱自在に嵌合させたことを特徴とする請求項１記載のポンプ付き容器。
【請求項３】
前記ノズルヘッド（３０）へ係合して該ノズルヘッドの下降を阻止可能なストッパ部材（５０）を備えていることを特徴とする請求項１又は請求項２いずれか１項記載のポンプ付き容器。
【請求項４】
前記薄板（３７）を前記吐出室（３５）下面へ接着または溶着させたことを特徴とする請求項１から請求項３のいずれか１項記載のポンプ付き容器。
【発明の詳細な説明】
【技術分野】
【０００１】
本発明は、ポンプ作用によって容器体内容物を吐出可能なポンプ付き容器に関する。
【背景技術】
【０００２】
容器体の口頸部にノズルヘッドを備えたポンプを設け、ノズルヘッドの押下げ操作で容器体内容物が、ポンプ内部に設けられた玉弁等の吐出弁を開いてノズルから吐出可能に設けたポンプ付き容器が従来技術として知られている。
【先行技術文献】
【特許文献】
【０００３】
【特許文献１】特開２００３−２９２００６号公報
【発明の概要】
【発明が解決しようとする課題】
【０００４】
しかしながら従来技術では、吐出後、ポンプ内の負圧化でノズル内へ吸引された空気がノズル等吐出弁より下流側の流路に残留した容器体内容物に触れて劣化させるおそれがあり、また、玉弁等の吐出弁を使用するため部品点数が多く構成も複雑なものにならざるを得なかった。
【０００５】
本発明は、上記課題を解決するためになされたもので、吐出後、空気が残留内容物に触れることがなく、かつ、構成が簡素なポンプ付き容器を提供することを目的とする。
【課題を解決するための手段】
【０００６】
上記課題を解決するために、本発明は、容器体内へ垂下させたシリンダ内から上方付勢状態で起立するステム２２へ装着させたノズルヘッド３０の押下げで容器体内容物をノズル孔３４ａから吐出可能に設けたポンプ付き容器において、
前記ノズルヘッド３０の頂壁３１内部に前記ノズル孔３４ａへ連通する吐出室３５を形成して、該吐出室３５下面に前記ステム２２へ連通する吐出口３６を開口させるとともに、吐出弁兼用の弾性を有する薄板３７を、その一部を吐出口３６からノズル孔３４ａへ達する前後方向に長い吐出路形成部３８として残して前記吐出室３５下面へ添着させ、
前記吐出室３５下面を、吐出口３６形成箇所からノズル孔３４ａへ亘って、前方からみて下方へ凸に弯曲させるとともに、前記薄板３７をプラスチックフィルムで形成し、
前記ノズルヘッド３０の押下げで前記吐出口３６を介して前記吐出室３５内へ流入する容器体内容物が前記薄板３７の吐出路形成部３８を上方へ凸の弯曲状に反転させて前記ノズル孔３４ａから吐出可能に、かつポンプ内の負圧化による吸引力及び薄板の弾性力で前記薄板３７が元の下へ凸の弯曲状に復帰して前記吐出室３５下面へ密着可能に設けた
ことを特徴とするポンプ付き容器。
【０００９】
さらに、本発明は、前記ノズルヘッド頂壁３１を上下に二分割して、ノズルヘッド本体３９と該ノズルヘッド本体上面を覆うヘッドカバー部４０とに形成して、前記ノズルヘッド本体３９上面の左右両側から下側係合壁４１を起立させるとともに、前記ヘッドカバー部頂板４２の左右両側から上側係合壁４３を垂下させ、該上側係合壁４３を前記下側係合壁４１外面へ着脱自在に嵌合させたことを特徴とする。
【００１０】
さらに、本発明は、前記ノズルヘッド３０へ係合して該ノズルヘッドの下降を阻止可能なストッパ部材５０を備えていることを特徴とする。
【００１１】
さらに、本発明は、前記薄板３７を前記吐出室３５下面へ接着または溶着させたことを特徴とする。
【発明の効果】
【００１２】
本発明は、吐出室下面へ添着させた薄板がポンプ内の負圧化で吐出室３５下面へ密着可能に設けたので、吐出後、容器体内容物の流路は薄板によって閉塞されることとなり、このため容器体内容物はすみやかに容器体内へ戻送されると共に、空気が流路内へ吸引されることはなく、したがって、容器体内容物の劣化が防止され内容物の保護を十全なものとすることができる。
【００１３】
また、本発明は、吐出室下面へ添着させた薄板が容器体内容物の保護機能を果たすと共に、吐出弁の機能をも兼ねるため、ポンプ内部の吐出弁を省略することができ、よって構成の簡素化を図ることができる。
さらに、本発明は、ノズルヘッド頂壁を二分割したので、ヘッドカバー部を交換するだけでノズルヘッドの外観形状を変更できるとともに、薄板のノズルヘッドへの組付けが容易となる。
【図面の簡単な説明】
【００１４】
【図１】本発明に係るポンプ付き容器の要部を示す一部断面図である。
【図２】図1のＡ−Ａ線矢視図である。
【図３】(ａ)図１の平面図である。          (ｂ)図１の側面図である。
【図４】(ａ)他の実施形態の平面図である。          (ｂ)同じく側面図である。
【図５】(ａ)他の実施形態の平面図である。          (ｂ)同じく側面図である。
【図６】ヘッドカバー部を取外した状態のポンプ付き容器の斜視図である。
【発明を実施するための形態】
【００１５】
以下に本発明の実施の形態について、図面を参照しながら詳細に説明する。
【００１６】
１は容器体で、胴部上端から肩部を介して口頸部を起立させる。
【００１７】
１０は装着筒で、容器体口頸部へ螺合させた周壁１１の上面から内向きフランジを介して案内筒１２を起立させる。
【００１８】
２０はポンプで、容器体１内へ垂下するシリンダ２１内から図示しないピストンを介してステム２２を上方付勢状態で起立させるとともに、ステム２２の上端部外面へノズルヘッド３０を嵌合させている。
【００１９】
ノズルヘッド３０は頂壁３１下面から内外二重筒３２、３３を垂下して、内筒３２をステム２２の上端部外面へ嵌合させるとともに、外筒３３下端を案内筒１２上端外面へ遊嵌させ、さらに頂壁３１前部からノズル３４をステム２２へ連通させて前方へ突設させている。
【００２０】
ノズルヘッド３０の頂壁３１内部にはノズル孔３４ａへ連通する吐出室３５を前後方向へ長く形成して、該吐出室３５の前後方向中間部下面にステム２２へ連通する吐出口３６を開口させるとともに、薄板３７を、その一部を吐出路形成部３８として残して他部(添着部３７ａ)を吐出室３５下面へ添着させる。添着は接着または溶着によって行う。
【００２１】
吐出路形成部３８は吐出口３６からノズル孔３４ａへ達する長さに形成され、かつ吐出室３５下面へは添着されていないため、吐出口３６から吐出室３５内へ容器体内容物が流入すると、吐出路形成部３８は上方へ膨出して内容物の流路を形成して、内容物をノズル孔３４ａから吐出可能にする。したがって、吐出路形成路３８の左右の幅は吐出口３６の径とほぼ等しいか、やや大きく形成されるが、容器体内容物の粘度や注出形態によってその幅を変更することも可能である。
【００２２】
吐出室３５の下面の形状は下方へ凸の弯曲状、すなわち皿状に形成している。薄板３７の材質として上方へ凸の弯曲状に反転可能なプラスチックフィルムを使用する。
【００２３】
吐出室３５が形成されたノズルヘッド３０の頂壁３１は上下に二分割して、ノズルヘッド本体３９と該ノズルヘッド本体上面を覆うヘッドカバー部４０とに形成して、ノズルヘッド本体３９上面の左右両側から下側係合壁４１を起立させるとともに、ヘッドカバー部４０の頂板４２の左右両側から上側係合壁４３を垂下させ、さらに両上側係合壁４３の内側に補助壁４４を垂下させ、該補助壁４４と上側係合壁４３との間に下側係合壁４１を着脱自在に嵌合させる。
【００２４】
次に本実施形態の作用について説明する。
組立に際しては、ヘッドカバー部４０を取外して薄板３７を、その一部、すなわち吐出路形成部３８を残して吐出室３５の下面へ接着または溶着により添着させる。使用するには、ヘッドカバー部４０を取り付けた後、ノズルヘッド３０を押下げればよく、するとステム２２から吐出口３６を介して容器体内容物が吐出室３５内へ流入して吐出路形成部３８を上方へ反転させることでノズル孔３４ａから吐出する。
【００２５】
吐出後、ノズルヘッド３０が上昇すると、ポンプ２０内が負圧化するため、その吸引力と薄板３７自体の弾性力により薄板３７は元の形状に復元して吐出室３５下面へ密着する。これによりノズルヘッド３０内に残留した容器体内容物は吐出口３６から容器体内へ戻送されるとともに、ノズルヘッド３０内への外気の吸引も防止されるため、容器体内容物の劣化が防止される。
【００２６】
５０はストッパ部材で、上面視Ｕ字状の本体と本体から後方へ突設する摘み部５１とから形成されていて、案内筒１２へ着脱自在に嵌合してノズルヘッド３０下端へ係合することでノズルヘッド３０の不必要な下降を阻止可能に設けられている。
【００２７】
ストッパ部材５０は図４に示すようにノズルヘッド３０の外筒３３下端と装着筒１０の頂部間へ嵌合させるようにしてもよく、あるいは図５に示すようにノズル３４へストッパ部材５０を嵌合させることでノズル３４の下降を防止するようにしてもよい。
【００２８】
なお、ヘッドカバー部４０は上記のようにノズルヘッド本体に対して交換可能であり、したがって、ヘッドカバー部を交換することでノズルヘッドの外観形状を変更させることが可能で、例えば、図３と図４のように形状を異ならせることができる。
【産業上の利用可能性】
【００２９】
本発明は、ノズルヘッドの押下げで容器体内容物を吐出可能なポンプ付き容器の分野に利用することができる。
【符号の説明】
【００３０】
２０  ポンプ
２２  ステム
３０  ノズルヘッド
３１  ノズルヘッドの頂壁
３４  ノズル
３５  吐出室
３６  吐出口
３７  薄板
３７ａ  添着部
３８  吐出路形成部
３９  ノズルヘッド本体
４０  ヘッドカバー部
４１  下側係合壁
４３  上側係合壁
５０  ストッパ部材
【図１】
0005630809.tif 000002
【図２】
0005630809.tif 000003
【図３】
0005630809.tif 000004
【図４】
0005630809.tif 000005
【図５】
0005630809.tif 000006
【図６】
0005630809.tif 000007